(57)【要約】【課題】  負荷に対する放電電圧を適切に供給することのできる高周波電源装置を提供する。【解決手段】  高周波電源装置１は、設定された高周波電力の値に応じてその振幅波形の中心となる直流電源電圧Ｖdcの値を演算する演算部１７と、演算部１７によって演算された直流電源電圧Ｖdcを生成する直流電源部２１と、直流電源部２１によって生成された直流電源電圧を基準にして高周波電力を増幅する増幅部１４と、を備え、増幅部１４によって増幅された高周波電力を負荷Ｌに対して供給する。更に、高周波電源装置１は、所定の初期電圧値を設定可能な初期電圧設定部１８と、負荷Ｌ側における整合状態を検出する整合状態検出部２３と、整合状態検出部２３によって検出された整合状態に基づいて、演算部１７によって演算された直流電源電圧Ｖdcの値又は初期電圧設定部１８によって設定された初期電圧の値のいずれかを直流電源部２１に供給する切替部１９とを備える。【選択図】  図２
2005269869.tif 000002
【特許請求の範囲】
【請求項１】
設定された高周波電力の値に応じてその振幅波形の中心となる直流電源電圧の値を演算する演算手段と、
この演算手段によって演算された直流電源電圧を生成する電圧生成手段と、
前記電圧生成手段によって生成された直流電源電圧を基準にして前記高周波電力を増幅する増幅手段と、を備え、
前記増幅手段によって増幅された高周波電力を負荷に対して供給する高周波電源装置であって、
所定の電圧値を設定可能な所定電圧設定手段と、
前記負荷側における整合状態を検出する整合状態検出手段と、
前記整合状態検出手段によって検出された整合状態に基づいて、前記演算手段によって演算された前記直流電源電圧の値又は前記所定電圧設定手段によって設定された所定電圧の値のいずれかを前記電圧生成手段に供給する供給手段と、
を備えることを特徴とする、高周波電源装置。
【請求項２】
前記整合状態検出手段は、前記負荷側に進行する進行波及び前記負荷側から戻る反射波に基づいて前記負荷の整合状態を検出することを特徴とする、請求項１に記載の高周波電源装置。
【請求項３】
前記供給手段は、前記整合状態検出手段によって検出された整合状態が不整合のとき、前記直流電源電圧の値を前記所定電圧設定手段によって設定された所定電圧の値に切り替えて供給することを特徴とする、請求項１又は２に記載の高周波電源装置。
【発明の詳細な説明】
【技術分野】
【０００１】
本願発明は、例えば半導体ウェハプロセスにおいてプラズマエッチングを行うプラズマ処理装置等といった負荷に、インピーダンス整合器を介して高周波電力を供給する高周波電源装置に関するものである。
【背景技術】
【０００２】
従来、高周波電源装置では、例えば特許文献１に記載のものが提案されている。図５は、特許文献１に記載の高周波電源装置の構成図である。
【特許文献１】特開２００１−１９７７４９号公報
【０００３】
この高周波電源装置は、高周波電力の値を設定するための出力電力設定部４１、後述する制御部４２からの信号に基づいて発振出力のレベルを可変する発振部４３、発振部４３の発振出力を増幅する増幅部４４、増幅部４４から出力された出力電力を検出する出力電力検出部４５、及び出力電力設定部４１による設定値と出力電力検出部４５による検出値とを比較し、その比較結果を発振部４３に与えることにより高周波電力が一定になるように制御する制御部４２を備えている。
【０００４】
また、この高周波電源装置は、出力電力設定部４１において設定された値に対して所定の特性グラフ又は特性関数等に基づいて、高周波電力の振幅波形の中心となる直流電源電圧Ｖdcを算出する演算部４７と、演算部４７によって算出された直流電源電圧Ｖdcの演算値と直流電圧検出部５２による直流電源電圧Ｖdcの検出値との誤差分を増幅して、それを直流電源部５１に出力する誤差増幅部５０と、直流電源電圧Ｖdcを生成するための直流電源部５１と、この直流電源部５１から出力される直流電源電圧Ｖdcの大きさを検出する直流電圧検出部５２とを備えている。
【０００５】
上記構成では、出力電力設定部４１において高周波電力の値が設定されると、この高周波電力の値に基づいて発振部４３において発振出力のレベルが可変され、増幅部４４においてその発振出力が増幅される。一方、演算部４７においては、高周波電力の値に応じて直流電源電圧Ｖdcの演算値が演算され、直流電源部５１において当該直流電源電圧Ｖdcが生成されて、増幅部４４に送られる。増幅部４４では、当該直流電源電圧Ｖdcを基準にして発振出力が増幅され、例えばインピーダンス変換器（図略）を介して負荷に対して高効率で供給されるようになっている。
【発明の開示】
【発明が解決しようとする課題】
【０００６】
ところで、上記高周波電源装置では、出力電力設定部４１において高周波電力の値が設定されると、演算部４７においてその高周波電力に応じた直流電源電圧Ｖdcが演算されるが、出力電力設定部４１における設定値が小さすぎると、直流電源電圧Ｖdcの値が低くなり、負荷に対して高周波出力の供給を開始するとき、増幅部４４から負荷に対して出力される高周波電力のレベルが負荷の放電を開始する電圧値に達せず、プラズマ放電が開始されないことがあるといった問題点がある。
【０００７】
また、負荷においてプラズマ放電が開始された場合、そのプラズマ放電を維持するためには、プラズマ放電における負荷の端子間電圧をある程度維持する必要がある。一旦、プラズマ放電が開始されると、インピーダンス整合器を構成する可変インピーダンス素子（図略）は、インピーダンス整合を取れるようにそのリアクタンス（キャパシタンスやインダクタンス）を変化させるのであるが、インピーダンス整合が負荷の状態によって取れなくなったとき、負荷の端子間電圧がプラズマ放電を維持するのに必要な電圧よりも低くなる場合があり、プラズマ放電が維持できなくなることがある。
【０００８】
本願発明は、上記した事情のもとで考え出されたものであって、負荷に対する放電電圧を適切に供給することのできる高周波電源装置を提供することを、その課題とする。
【課題を解決するための手段】
【０００９】
上記の課題を解決するため、本願発明では、次の技術的手段を講じている。
【００１０】
本願発明によって提供される高周波電源装置は、設定された高周波電力の値に応じてその振幅波形の中心となる直流電源電圧の値を演算する演算手段と、この演算手段によって演算された直流電源電圧を生成する電圧生成手段と、前記電圧生成手段によって生成された直流電源電圧を基準にして前記高周波電力を増幅する増幅手段と、を備え、前記増幅手段によって増幅された高周波電力を負荷に対して供給する高周波電源装置であって、所定の電圧値を設定可能な所定電圧設定手段と、前記負荷側における整合状態を検出する整合状態検出手段と、前記整合状態検出手段によって検出された整合状態に基づいて、前記演算手段によって演算された前記直流電源電圧の値又は前記所定電圧設定手段によって設定された所定電圧の値のいずれかを前記電圧生成手段に供給する供給手段と、を備えることを特徴としている（請求項１）。
【００１１】
この構成によれば、負荷側における整合状態に基づいて演算手段によって演算された直流電源電圧の値、又は所定電圧設定手段によって設定された所定電圧の値のいずれかが決定され、決定された値に基づいて電圧生成手段によって直流電源電圧が生成される。そして、生成された直流電源電圧が高周波電力の振幅波形の中心となって高周波電力が負荷に対して供給される。従って、例えば高周波電力の供給が開始されるとき（不整合状態のとき）、設定された高周波電力の値に応じて演算される直流電源電圧の値が、負荷の放電が行われないほど低い場合には、例えば所定電圧設定手段によって設定された所定電圧の値が決定され、この値に基づいて電圧生成手段によって直流電源電圧が生成されるので、負荷の放電を適切にかつ確実に行うことができる。
【００１２】
好ましい実施の形態によれば、前記整合状態検出手段は、前記負荷側に進行する進行波及び前記負荷側から戻る反射波に基づいて前記負荷の整合状態を検出するとよい（請求項２）。
【００１３】
他の好ましい実施の形態によれば、前記供給手段は、前記整合状態検出手段によって検出された整合状態が不整合のとき、前記直流電源電圧の値を前記所定電圧設定手段によって設定された所定電圧の値に切り替えて供給するとよい（請求項３）。
【００１４】
本願発明のその他の特徴および利点は、添付図面を参照して以下に行う詳細な説明によって、より明らかとなろう。
【発明を実施するための最良の形態】
【００１５】
以下、本願発明の好ましい実施の形態を、添付図面を参照して具体的に説明する。
【００１６】
図１は、本願発明に係る高周波電源装置が適用される高周波電力供給システムの一例を示す図である。このシステムは、半導体ウェハや液晶基板等の被加工物に対して高周波電力を供給して、例えばプラズマエッチングといった加工処理を行うものである。このシステムは、高周波電源装置１、伝送線路２、インピーダンス整合器３、負荷接続部４及び負荷Ｌで構成されている。
【００１７】
高周波電源装置１には、例えば同軸ケーブルからなる伝送線路２を介してインピーダンス整合器３が接続され、インピーダンス整合器３には、例えば電磁波が漏れないように遮蔽された銅板からなる負荷接続部４を介して負荷Ｌ（例えばプラズマ処理装置）が接続されている。なお、高周波電源装置１は、インピーダンス整合器３を含む構成としてもよい。
【００１８】
高周波電源装置１は、負荷Ｌに対して例えば数百ｋＨｚ以上の周波数を有する高周波電力を供給するための装置である。高周波電源装置１については後述する。
【００１９】
インピーダンス整合器３は、高周波電源装置１と負荷Ｌとのインピーダンスを整合させるものである。より具体的には、例えば高周波電源装置１の出力端から高周波電源装置１側を見たインピーダンス（出力インピーダンス）が例えば５０Ωに設計され、高周波電源装置１が、特性インピーダンス５０Ωの伝送線路２でインピーダンス整合器３の入力端に接続されているとすると、インピーダンス整合器３は、当該インピーダンス整合器３の入力端から負荷Ｌ側を見たインピーダンスを可及的に５０Ωに自動調整する。
【００２０】
インピーダンス整合器３は、図示しないが、高周波電源装置１から入力される高周波電力（入射波）の高周波電圧、高周波電流、及びそれらの位相差を検出する入力検出部、可変インピーダンス素子である可変キャパシタ等からなる整合部、入力検出部から入力された高周波電圧、高周波電流及び位相差を用いて入力インピーダンスを算出し、この入力インピーダンスが例えば５０Ωになるように、整合部の可変キャパシタを制御する整合器制御部等によって構成されている。
【００２１】
負荷Ｌは、半導体ウェハや液晶基板等の被加工物をエッチングやＣＶＤ等の方法を用いて加工するためのプラズマ処理装置である。プラズマ処理装置では、被加工物の加工目的に応じて各種の加工プロセスが実行される。例えば、被加工物に対してエッチングを行う場合には、そのエッチングに応じたガス種類、ガス圧力、高周波電力の供給電力値、及び高周波電力の供給時間等が適切に設定された加工プロセスが行われる。プラズマ処理装置では、被加工物が配置される容器（図略）内にプラズマ放電用ガスを導入し、そのプラズマ放電用ガスを放電させて非プラズマ状態からプラズマ状態にしている。そして、プラズマ状態になったガスを用いて被加工物を加工している。
【００２２】
負荷Ｌは、高周波電力が供給されるとき、プラズマ放電される。すなわち、高周波電力の供給が開始されると、負荷Ｌの端子間に所定の電圧が印加され、その印加された電圧によってプラズマ放電され、上記のような加工プロセスが実行されるようになっている。本実施形態では、負荷Ｌの端子間に供給される電圧がプラズマ放電に支障がある程度に低くならないように制御される。
【００２３】
高周波電源装置１は、図２に示すように、出力電力設定部１１と、制御部１２と、発振部１３と、増幅部１４と、出力電力検出部１５と、演算部１７と、初期電圧設定部１８と、切替部１９と、誤差増幅部２０と、直流電源部２１と、直流電圧検出部２２と、整合状態検出部２３とを備えている。
【００２４】
出力電力設定部１１は、例えばユーザ等によって負荷Ｌに出力すべき出力電力を設定するためのものであり、図２では省略しているが、高周波電力の出力値を設定するための出力電力設定スイッチや高周波電力の供給の開始を指示する出力開始スイッチが備えられた操作部等が設けられている。出力電力設定部１１において設定された高周波電力の出力値のデータは、制御部１２及び演算部１７に送られる。
【００２５】
制御部１２は、出力電力設定部１１において設定された高周波電力の出力値と、出力電力検出部１５において検出された高周波電力の検出値とを比較し、両者が一致するように、発振部１３の発振出力のレベルを制御するものである。つまり、制御部１２は、発振部１３の発振出力のレベルを制御することにより、高周波電力の出力が一定になるように制御するものである。
【００２６】
発振部１３は、制御部１２からの制御信号によってその発振出力のレベルが制御されるものである。発振部１３によって出力される発振出力信号は、増幅部１４に送られる。
【００２７】
増幅部１４は、発振部１３からの発振出力信号を増幅して高周波電力信号を出力するためのものである。増幅部１４において増幅された発振出力信号は、出力電力検出部１５及び出力コネクタ１６を介してインピーダンス整合器３に出力され、前述したように、インピーダンス整合器３において整合動作が行われる。
【００２８】
出力電力検出部１５は、増幅部１４からの高周波電力を検出するものであり、例えば、方向性結合器によって構成されており、増幅部１４から負荷Ｌ側に進行する高周波電力（以下、進行波という。）と負荷Ｌ側から反射してくる高周波電力（以下、反射波という。）とを分離して、それらの値をそれぞれ検出するものである。
【００２９】
出力電力検出部１５において検出された進行波の値は、上記制御部１２に戻され、制御部１２では、上述したように出力電力設定部１１において設定される高周波電力の出力値と比較され、両者が一致するように発振部１３に対して制御信号を出力する。すなわち、制御部１２、発振部１３、増幅部１４、及び出力電力検出部１５では、帰還ループが構成され、出力が一定になるように制御されている。
【００３０】
この高周波電源装置１においては、高周波電力の振幅波形の中心となる直流電源電圧Ｖdcを基準にして高周波電力が負荷Ｌに対して出力されるが、以下、直流電源電圧Ｖdcを生成する構成について説明する。
【００３１】
演算部１７は、出力電力設定部１１から出力される高周波電力の設定値に対して所定の特性グラフ又は特性関数に基づいて演算し、直流電源電圧Ｖdcの演算値として切替部１９及び誤差増幅部２０を介して直流電源部２１に出力するものである。ここで、所定の特性グラフ又は特性関数とは、高周波電力の出力電圧が飽和しない範囲で、換言すれば波形歪みが発生しない範囲で最大効率が得られるようにするために、実験等により予め求められたものである。
【００３２】
図３は、上記特性グラフの一例であって、横軸が高周波電力の設定電力（％）、縦軸は直流電源電圧Ｖdc（％）であり、増幅部１４が設定電力で最大効率となるように増幅動作するための直流電源電圧Ｖdcの値を示している。また、図４は、直流電源電圧Ｖdc及び高周波電力の波形図であって、高周波電力の波形が飽和しない範囲で振幅が最大となる、つまり高周波電源装置１が最大の効率で動作できるように、直流電源電圧Ｖdcが設定された場合を示している。図中のハッチング部分は、損失を示しており、この部分が小さい程、効率が高いことを示す。なお、演算部１７は、直流電源電圧Ｖdcの出力値を演算値より若干高めに設定してもよい。
【００３３】
初期電圧設定部１８は、高周波電力の供給を開始するとき、負荷Ｌを放電させるために負荷Ｌの端子間に与える初期電圧を設定するためのものである。初期電圧は、負荷Ｌをプラズマ放電させるために必要十分な電圧値であり、経験的に求められた値である。この初期電圧は、例えば、直流電源電圧の最大値の約６０％に設定されている。換言すれば、出力電力設定部１１の設定値が小さい場合に、初期電圧は、演算部１７において演算される直流電源電圧Ｖdcの演算値より大である。なお、図２では省略しているが、初期電圧設定部１８には、初期電圧の値を設定するための設定スイッチが設けられている。初期電圧設定部１８において設定された初期電圧値のデータは、切替部１９に送られる。
【００３４】
切替部１９は、演算部１７からの直流電源電圧Ｖdcの演算値と、初期電圧設定部１８からの初期電圧の設定値とを、整合状態検出部２３からの検出結果に基づいて、誤差増幅部２０を介して直流電源部２１に出力するものである。すなわち、整合状態検出部２３から負荷Ｌ側が整合状態である旨の検出信号が送られると、切替部１９は、演算部１７からの直流電源電圧Ｖdcの演算値を誤差増幅部２０を介して直流電源部２１に出力する。これに対して、整合状態検出部２３から負荷Ｌ側が不整合状態である旨の検出信号が送られると、切替部１９は、初期電圧設定部１８からの初期電圧の設定値を誤差増幅部２０を介して直流電源部２１に出力する。
【００３５】
誤差増幅部２０は、演算部１７からの直流電源電圧Ｖdcの演算値又は初期電圧設定部１８からの初期電圧の設定値のいずれかと、直流電圧検出部２２による検出値との誤差分を増幅して、それを直流電源部２１に出力するものである。
【００３６】
直流電源部２１は、演算部１７からの直流電源電圧Ｖdcの演算値又は初期電圧設定部１８からの初期電圧の設定値のいずれかに基づいてそれらの値に応じた直流電源電圧を生成するものである。生成された直流電源電圧は、直流電圧検出部２２を介して増幅部１４に出力される。
【００３７】
直流電圧検出部２２は、直流電源部２１によって生成された直流電源電圧の大きさを検出するものである。この直流電圧検出部２２における検出結果は誤差増幅部２０にフィードバックされ、誤差増幅部２０において演算部１７からの直流電源電圧Ｖdcの演算値又は初期電圧設定部１８からの初期電圧の設定値のいずれかと比較されるようになっている。これにより、直流電源電圧Ｖdcを一定に制御して増幅部１４に対して供給することができ、負荷Ｌの変動によって直流電源電圧Ｖdcが変動することが抑制される。
【００３８】
この高周波電源装置１においては、負荷Ｌの端子間に供給される電圧がプラズマ放電に支障がある程度に低くならないように制御するために、負荷Ｌ側における整合状態を検出し、その検出結果に基づいて初期電圧設定部１８において設定された初期電圧を出力するか否かの判別を行っており、以下、その判別を行う構成について説明する。
【００３９】
整合状態検出部２３は、負荷Ｌ側におけるインピーダンス整合状態を検出するためのものである。整合状態検出部２３は、出力電力検出部１５から入力される進行波ＰＦの振幅Ｖｆと反射波ＰＲの振幅Ｖｒとから反射係数Γ＝Ｖｒ／Ｖｆを算出し、その算出結果に基づいて整合状態であるか否かを判別するものである。整合状態検出部２３は、進行波ＰＦの振幅Ｖｆ及び反射波ＰＲの振幅ＶｒをＡ／Ｄコンバータによりデジタルの振幅値Ｄｆ，Ｄｒに変換した後、Ｄｒ／Ｄｆを演算することにより反射係数Γの値を算出する。そして、反射係数Γの値に基づいて整合状態であるか否かを判別し、その結果を切替部１９に出力するようになっている。
【００４０】
すなわち、本実施形態では、負荷Ｌ側における整合状態を検出して、この整合状態に基づいて演算部１７において算出された直流電源電圧Ｖdcの演算値を増幅部１４に供給するのか、又は初期電圧設定部１８において設定された初期電圧を増幅部１４に供給するのかを切替部１９において切り替えるようになっている。例えば、負荷Ｌ側が整合状態にあれば、直流電源電圧Ｖdcの演算値に切り替えてそれを直流電源部２１に供給する。一方、負荷Ｌ側が不整合状態にあれば、初期電圧に切り替えてそれを直流電源部２１に供給する。
【００４１】
次に、上記構成における作用を説明する。
【００４２】
まず、高周波電力の供給が開始されると、整合状態検出部２３では不整合状態を検出する。整合状態検出部２３は、その旨の検出信号を切替部１９に送る。これにより、切替部１９は、初期電圧設定部１８において設定された初期電圧に切り替えて、その初期電圧を誤差増幅部２０を介して直流電源部２１に供給する。
【００４３】
すなわち、高周波電力の供給が開始されるときは、負荷Ｌのプラズマ放電に必要な電圧を負荷Ｌの端子間に与え、負荷Ｌをプラズマ放電させる必要があるが、出力電力設定部１１において設定される高周波電力の設定値が小さいと、直流電源電圧Ｖdcが小さくなり、これは負荷Ｌをプラズマ放電させるための十分な電圧ではないため、負荷Ｌをプラズマ放電させることはできない。そこで、本実施形態では、高周波電力の供給が開始された直後で、まだプラズマ放電が開始されておらず不整合状態のときに、不整合状態であることを整合状態検出部２３において検出し、その検出結果に基づいて初期電圧設定部１８において設定された初期電圧の値を直流電源部２１に出力する。
【００４４】
これにより、初期電圧の値は、直流電源部２１において直流電源電圧として生成され、更に増幅部１４に供給され、増幅部１４において適当な値に増幅されて負荷Ｌ側に出力される。すなわち、負荷Ｌでは、プラズマ放電するのに必要十分な電圧が与えられることになり、負荷Ｌを適切にかつ確実にプラズマ放電することができる。
【００４５】
その後、インピーダンス整合器３が、入力インピーダンスの大きさが例えば５０Ωになるように、かつ位相差が略０°となるように調整すると、整合状態検出部２３は、出力電力検出部１５から入力される進行波ＰＦの振幅Ｖｆと反射波ＰＲの振幅Ｖｒとから反射係数Γ＝Ｖｒ／Ｖｆを算出する。そして、反射係数Γの値が所定範囲内に入っておれば、整合状態であると判別し、その判別結果を切替部１９に出力する。
【００４６】
切替部１９では、整合状態検出部２３からの判別結果を受け、その判別結果が整合状態である場合、演算部１７からの直流電源電圧Ｖdcの演算値を誤差増幅部２０を介して直流電源部２１に供給するよう切り替える。これにより、負荷Ｌでは、直流電源電圧Ｖdcを基準にした高周波電力が供給され、所定の加工プロセスが行われる。
【００４７】
なお、高周波電力の供給が開始されてから所定時間経過後に、すなわち、インピーダンス整合器３におけるインピーダンス整合がなされたものとみなして、切替部１９を切り替えてもよい。
【００４８】
ここで、負荷Ｌにおいてプラズマ放電が開始された場合、そのプラズマ放電を維持するためには、プラズマ放電における負荷Ｌの端子間電圧を維持する必要があるが、負荷Ｌの加工プロセス中に負荷Ｌの状態が変動し、インピーダンス整合が取れなくなったとき、負荷Ｌの端子間電圧がプラズマ放電を維持するのに必要な電圧よりも低くなる場合があり、プラズマ放電が維持できなくなることがある。
【００４９】
本実施形態では、このような場合でも、整合状態検出部２３によって負荷Ｌ側におけるインピーダンスが整合しているか否かを常時検出しているため、負荷Ｌの加工プロセス中にインピーダンス整合が取れなくなっても、整合状態検出部２３がそれを検出して、切替部１９にその旨の検出信号を出力する。これにより、切替部１９は、その検出結果に基づいて初期電圧設定部１８において設定された初期電圧を直流電源部２１に出力する。従って、負荷Ｌにおけるプラズマ放電を維持することができる。
【００５０】
もちろん、この発明の範囲は上述した実施の形態に限定されるものではない。上記実施形態では、整合状態検出部２３において反射係数を算出することにより負荷Ｌ側の整合状態を検出するようにしたが、反射係数に代えてインピーダンス、定在波比等が用いられてもよい。
【図面の簡単な説明】
【００５１】
【図１】本願発明に係る高周波電源装置が適用される高周波電力供給システムの構成図である。
【図２】本願発明に係る高周波電源装置の構成図である。
【図３】特性グラフの一例を示す図である。
【図４】直流電源電圧及び高周波出力の波形図である。
【図５】従来の高周波電源装置の構成図である。
【符号の説明】
【００５２】
１  高周波電源装置
３  インピーダンス整合器
１１  出力電力設定部
１４  増幅部
１５  出力電力検出部
１７  演算部
１８  初期電圧設定部
１９  切替部
２０  誤差増幅部
２１  直流電源部
２２  直流電圧検出部
２３  整合状態検出部
Ｌ  負荷
【図１】
2005269869.tif 000003
【図２】
2005269869.tif 000004
【図３】
2005269869.tif 000005
【図４】
2005269869.tif 000006
【図５】
2005269869.tif 000007